(57)【要約】  不快な乗り合わせを防ぐことができるエレベータシステムを得る。エレベータ利用者に応じた個人ＩＤを送信する個人ＩＤ処理装置１０と、個人ＩＤに対応する属性データをあらかじめ記憶する属性データ記憶部２５を有し、個人ＩＤ処理装置１０から個人ＩＤを受信し、受信した個人ＩＤに対応した属性データを属性データ記憶部２５から取り出し、属性データに応じたエレベータの呼び割当てに基づいてエレベータ制御を実行するエレベータ制御装置２０とを備える。
2007049328.tif 000002
【特許請求の範囲】
【請求項１】
エレベータ利用者に応じた個人ＩＤを送信する個人ＩＤ処理装置と、
個人ＩＤに対応する属性データをあらかじめ記憶する属性データ記憶部を有し、前記個人ＩＤ処理装置から個人ＩＤを受信し、受信した前記個人ＩＤに対応した属性データを前記属性データ記憶部から取り出し、前記属性データに応じたエレベータの呼び割当てに基づいてエレベータ制御を実行するエレベータ制御装置と
を備えたエレベータシステム。
【請求項２】
請求項１に記載のエレベータシステムにおいて、
前記個人ＩＤ処理装置は、
エレベータ利用者に応じた個人ＩＤを読み取る個人ＩＤ入力手段と、
前記個人ＩＤを前記エレベータ制御装置に送信する第１通信手段と
を有し、
前記エレベータ制御装置は、
前記個人ＩＤ処理装置から前記個人ＩＤを受信する第２通信手段と、
エレベータのかごごとに割当てられた属性データを割当データとして記憶する割当データ記憶部と、
前記第２通信手段が受信した前記個人ＩＤに対応して前記属性データ記憶部から取り出した属性データと、前記割当データ記憶部に記憶された前記割当データとに基づいて、前記属性データに応じたエレベータの呼び割当てを決定して割当て指令を出力するとともに、決定した前記エレベータの呼び割当てに従って前記割当データ記憶部に記憶された割当データを更新する呼び割当手段と、
前記割当て指令に基づいてエレベータ制御を実行するエレベータ制御手段と
をさらに有する
エレベータシステム。
【請求項３】
請求項２に記載のエレベータシステムにおいて、
前記エレベータ制御装置は、前記呼び割当手段により決定された前記エレベータの呼び割当てを報知する割当報知手段をさらに備えたエレベータシステム。
【請求項４】
請求項２または３に記載のエレベータシステムにおいて、
前記個人ＩＤ入力手段は、エレベータ利用者に応じた個人ＩＤとともに、呼び割当てを決定する際に属性データを使用するかしないかを示す属性割当選択データをさらに読み取り、
前記第１通信手段は、前記個人ＩＤとともに前記属性割当て選択データを送信し、
前記第２通信手段は、前記個人ＩＤとともに前記属性割当て選択データを受信し、
前記呼び割当手段は、前記属性割当て選択データが呼び割当てを決定する際に属性データを使用すると設定されている場合には、属性データに応じたエレベータの呼び割当てを決定し、前記属性割当て選択データが呼び割当てを決定する際に属性データを使用しないと設定されている場合には、属性データを考慮せずに呼び割当てを決定する
エレベータシステム。
【発明の詳細な説明】
【技術分野】
【０００１】
本発明は、個人ＩＤを利用したエレベータ制御を行うエレベータシステムに関する。
【背景技術】
【０００２】
従来のエレベータシステムにおいては、エレベータ利用者の個人ＩＤが入力されると、それに応じて呼び割当てや直行運転、車椅子運転を行うものがある（例えば、特許文献１参照）。特許文献１においては、個人端末を利用することにより、専用の呼びボタンを探す必要なくエレベータを操作できる。【０００３】
【特許文献１】特開２００４-１７５５１９号公報（第１頁、１図）
【発明の開示】
【発明が解決しようとする課題】
【０００４】
しかしながら、従来技術には次のような課題がある。従来の個人ＩＤを利用したエレベータシステムのサービスでは、それぞれの個人に対応した呼び割当てや運転を行うことができるが、不快な乗り合わせを防ぐことができないという問題点があった。【０００５】
本発明は上述のような課題を解決するためになされたもので、不快な乗り合わせを防ぐことができるエレベータシステムを得ることを目的とする。
【課題を解決するための手段】
【０００６】
本発明に係るエレベータシステムは、エレベータ利用者に応じた個人ＩＤを送信する個人ＩＤ処理装置と、個人ＩＤに対応する属性データをあらかじめ記憶する属性データ記憶部を有し、個人ＩＤ処理装置から個人ＩＤを受信し、受信した個人ＩＤに対応した属性データを属性データ記憶部から取り出し、属性データに応じたエレベータの呼び割当てに基づいてエレベータ制御を実行するエレベータ制御装置とを備えたものである。
【発明の効果】
【０００７】
本発明によれば、個人ＩＤに対応する属性データに基づいて呼び割当てを決定することにより、不快な乗り合わせを防ぐことができるエレベータシステムを得ることができる。
【図面の簡単な説明】
【０００８】
【図１】本発明の実施の形態１におけるエレベータシステムの構成図である。
【図２】本発明の実施の形態１におけるエレベータシステムの一連の処理を示すフローチャートである。
【発明を実施するための最良の形態】
【０００９】
以下、本発明のエレベータシステムの好適な実施の形態につき図面を用いて説明する。
本発明のエレベータシステムは、個人ＩＤに対応する属性データをあらかじめ記憶しておき、属性データに応じた呼び割当てに基づいてエレベータ制御を実行することを特徴とし、快適なエレベータの利用を実現するものである。【００１０】
実施の形態１．
図１は、本発明の実施の形態１におけるエレベータシステムの構成図である。図１におけるエレベータシステムは、エレベータ利用者に応じた個人ＩＤを処理する個人ＩＤ処理装置１０と、個人ＩＤ処理装置１０から受信した個人ＩＤに対する属性データに応じてエレベータの呼び割当てを決定してエレベータ制御を実行するエレベータ制御装置２０とで構成される。【００１１】
ここで、個人ＩＤ処理装置１０は、エレベータ利用者に応じた個人ＩＤを読み取る個人ＩＤ入力手段１１と、入力された個人ＩＤ情報をエレベータ制御装置２０に送信する通信手段１２とを有している。【００１２】
本発明における個人ＩＤ処理装置１０は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）、パソコンなどインターネットに接続可能な携帯端末に相当する。【００１３】
そして、個人ＩＤ処理装置１０の個人ＩＤ入力手段１１は、エレベータ利用者に対応する個人ＩＤを特定する機能を有する。この個人ＩＤ入力手段１１は、エレベータ利用者により直接入力された個人ＩＤを読み取ることができる。しかしながら、個人ＩＤ入力手段１１による個人ＩＤの特定は、このような個人ＩＤの直接入力に限定されるものではない。【００１４】
例えば、個人ＩＤ入力手段１１は、個人ＩＤを記録したカード、鍵、ＩＣタグなどの記録媒体から記録を読み取ることにより個人ＩＤを特定することも可能である。また、個人ＩＤ入力手段１１は、各個人が記憶しているＩＤを入力するインターフェースを備えた装置でもよい。さらには、個人ＩＤ入力手段１１は、指紋、声紋、虹彩などの生体認証を行うことにより、個人ＩＤを特定することも可能である。【００１５】
個人ＩＤ処理装置１０の通信手段１２は、個人ＩＤ入力手段１１により特定された個人ＩＤを、インターネットを通じてエレベータ制御装置２０に通信することができる。【００１６】
一方、エレベータ制御装置２０は、通信手段２１、呼び割当手段２２、エレベータ制御手段２３、割当報知手段２４、属性データ記憶部２５、および割当状態記憶部２６で構成される。【００１７】
ここで、属性データ記憶部２５は、個人ＩＤに対応する属性データがあらかじめ記憶されている記憶部である。属性データの具体例としては、性別、組織内での身分、ペットの有無等が挙げられる。また、割当状態記憶部２６は、エレベータ制御の対象である複数のかごと、それらのかごに現在割り当てられている属性データとの関係を割当状態として記憶している記憶部である。【００１８】
通信手段２１は、個人ＩＤ処理装置１０の通信手段１２から個人ＩＤ情報を受信する。次に、呼び割当手段２２は、通信手段２１が受信した個人ＩＤ情報に対応した属性データを、属性データ記憶部２５から取り出す。そして、呼び割当手段２２は、取り出した属性データと、割当状態記憶部２６に記憶された現在の割当状態とに基づいて、属性データに応じたエレベータの呼び割当てを決定する。さらに、呼び割当手段２２は、呼び割当ての決定結果を割当て指令として出力するとともに、その呼び割当ての決定結果を用いて割当状態記憶部２６に記憶された割当状態を更新する。【００１９】
次に、エレベータ制御手段２３は、呼び割当手段２２から出力された割当て指令に従ってエレベータ制御を実行する。この結果、エレベータ利用者の個人ＩＤに応じた属性データに基づいて、最適なかごの呼び割当てを実現でき、不快な乗り合わせを未然に防ぐことができる。【００２０】
さらに、割当報知手段２４は、呼び割当手段２２から出力された割当て指令に基づいて、割当て結果をエレベータ利用者に報知する。なお、エレベータ制御装置２０は、この割当報知手段２４がない構成とすることも可能である。【００２１】
次に、本発明のエレベータシステムにおける一連の処理の流れをフローチャートに基づいて説明する。図２は、本発明の実施の形態１におけるエレベータシステムの一連の処理を示すフローチャートである。【００２２】
まず始めに、個人ＩＤ処理装置１０の個人ＩＤ入力手段１１は、エレベータ利用者の入力に基づいて個人ＩＤを特定する（Ｆ１）。次に、通信手段１２は、特定された個人ＩＤ情報をエレベータ制御装置２０に送信する（Ｆ２）。【００２３】
一方、エレベータ制御装置２０の通信手段２１は、個人ＩＤ情報を受信する（Ｆ３）。次に、呼び割当手段２２は、受信した個人ＩＤ情報と属性データ記憶部２５に記憶された属性データとを照合し、エレベータ利用者の個人ＩＤに対応した属性データを決定する（Ｆ４）。【００２４】
さらに、呼び割当手段２２は、決定した属性データと、割当状態記憶部２６に記憶されている現在のエレベータの割当状態とに基づいて、属性データによるグループ分けを行って呼び割当てを決定するとともに、決定した呼び割当てを用いて割当状態記憶部２６に記憶されている割当状態を更新する。（Ｆ５）。さらに、呼び割当手段２２は、エレベータ制御手段２３に、決定した呼び割当てによる割当て指令を出力する（Ｆ６）。【００２５】
ここで、個人の属性データに応じたグループ分けの具体例としては、次のようなものが考えられる。例えば、呼び割当手段２２は、性別の属性データに基づいて、グループ化を行うことができる。この結果、呼び割当手段２２は、深夜の時間帯などに性別で分けた呼び割当てを行うことができ、男性と女性が同じかごに乗り合わせることを防止できる。【００２６】
あるいは、呼び割当手段２２は、ペットの有無やその種類・ペットとの同乗の許可に関する属性データに基づいて、グループ化を行うことができる。この結果、呼び割当手段２２は、ペットの種類やペットとの同乗許可の有無で分けた呼び割当てを行うことができる。【００２７】
さらに、呼び割当手段２２は、ＶＩＰと一般など会社やビル内での身分に関する属性データに基づいて、グループ化を行うことができる。この結果、呼び割当手段２２は、身分に応じた呼び割当てを行うことができる。このようにして、呼び割当手段２２は、同一の属性データを有するエレベータ利用者を同一のかごに呼び割り当てすることができ、属性データに基づく快適なエレベータの利用を実現できる。【００２８】
また、呼び割当手段２２は、割当報知手段２４に、決定した呼び割当てを通報する（Ｆ７）。これにより、割当報知手段２４は、呼び割当手段２２による呼び割当ての結果を、エレベータ利用者に伝えることができる。割当報知手段２４の具体例としては、アナウンス、乗場での表示、個人ＩＤ処理装置１０上での表示などが挙げられる。【００２９】
また、割当報知手段２４は、利用者に割当てられたかごを伝えた後に、乗場やかご内に、例えば女性専用運転中などのアナウンスあるいは表示を行い、既に乗場やかご内にいる他の利用者にも運転状態を伝えることも可能である。【００３０】
エレベータ利用者は、アナウンスまたは表示を受けて割当てられたかごを確認すると、そのかごが乗場に到着した後に割り当てられたかごに乗り込むこととなる。ここで、割当てられたかごが乗場に到着する前に、別の属性のエレベータ利用者が乗場に到着し、個人ＩＤ処理装置１０の個人ＩＤ入力手段１１が新たな個人ＩＤを読み取った場合には、エレベータ制御装置２０は、次のような動作をする。【００３１】
エレベータ制御装置２０の呼び割当手段２２は、新たに特定された個人ＩＤと属性データ記憶部２５に記憶された属性データとを照合し、エレベータ利用者の個人ＩＤに対応した属性データを決定する。さらに、呼び割当手段２２は、決定した属性データと、割当状態記憶部２６に記憶されている最新の更新されたエレベータの割当状態とに基づいて、属性データによるグループ分けを行って呼び割当てを決定する。【００３２】
この結果、呼び割当手段２２は、個人の属性データに応じて、先の呼び割当てとは異なる別のかごの割当を行い、エレベータ制御手段２３に割当て命令を出力することができる。【００３３】
以上のように、実施の形態１によれば、エレベータ利用者の個人ＩＤに応じて特定される属性データに基づいて、呼び割当てを決定することが可能となる。この結果、不快な乗り合わせを未然に防ぎ、快適なエレベータの利用を実現することができる。【００３４】
実施の形態２.
実施の形態１では、エレベータ利用者の個人ＩＤから属性データを特定し、特定した属性データに応じて自動的に呼び割当てを決定していた。これに対して、本実施の形態２では、個人ＩＤ処理装置１０で個人ＩＤを特定する際に、エレベータ利用者が、呼び割当てを行うために属性データを使用するか否かを選択（以下の説明では、この選択に関するデータを属性割当選択データと称す）することができるエレベータシステムについて説明する。【００３５】
例えば、個人ＩＤ処理装置１０がインターネットに接続可能な携帯端末であれば、属性割当選択データの設定が可能なインターフェースを有するＷＥＢアプリケーションを用いることができる。また、個人ＩＤ処理装置１０が生体認証を行う装置や記録媒体から記録を読み取る装置であれば、専用のスイッチを設けることにより、属性割当選択データを設定することが可能となる。【００３６】
さらに、個人ＩＤ処理装置１０がＩＤを入力するインターフェースを備えた装置であれば、個人ＩＤとともに属性割当選択データを入力するようにすればよい。【００３７】
このような属性割当選択データをさらに用いることにより、エレベータ利用者の都合に応じた適切な呼び割当てを実現できる。例えば、異なる属性の同伴者がいる場合などには、エレベータ利用者は、属性データを使用せずに呼び割当てを行うように、属性割当選択データを設定する。そして、個人ＩＤ処理装置１０は、設定された属性割当選択データを、個人ＩＤとともにエレベータ制御装置２０に送信することができる。【００３８】
これに対して、エレベータ制御装置２０の呼び割当手段２２は、通信手段２１を介して受信した属性割当選択データの設定状態から、呼び割当てを決定する際に属性データを使用するかしないかを識別できる。これにより、エレベータ利用者が属性割当を行わない選択をしていた場合には、呼び割当手段２２は、属性データを考慮せずに呼び割当てを決定する。一方、エレベータ利用者が属性割当を行う選択をしていた場合には、呼び割当手段２２は、実施の形態１で説明した処理と同様にして、属性データに応じたエレベータの呼び割当てを決定する。【００３９】
以上のように、実施の形態２によれば、個人ＩＤとともに、呼び割当てを行うために属性データを使用するか否かを選択できる属性割当選択データを用いることにより、エレベータ利用者の都合に応じた適切な呼び割当てを実現できる。
【図１】
2007049328.tif 000003
【図２】
2007049328.tif 000004
【国際調査報告】
2007049328.tif 000005
2007049328.tif 000006
2007049328.tif 000007